(57)【要約】【課題】撮像装置に内蔵される部品だけでなく、撮像装置に交換可能に取り付けられる、交換レンズやアクセサリが発生する外乱磁場の影響を回避し、撮像中の正確な方位を可能にした、撮像装置を提供することである。【解決手段】地磁気検出手段は、本体フレームによって分割される一方の領域に配置され、もう一方の領域には、交換レンズが着脱可能なマウントが配置され、前記地磁気検出手段は、撮像光軸によって分割される一方の領域に配置され、もう一方の領域には、外付けアクセサリを交換可能に取り付けられるアクセサリ取付部が配置され、前記地磁気検出手段は、前記撮像光軸によって分割される領域の、電源、外部メモリスロットが配置される側の領域に、配置され、前記地磁気検出手段は、外部メモリスロットの実装された基板によって、前記電源から隔てられることを特徴とする。【選択図】図６
2016017973.tif 000002
【特許請求の範囲】
【請求項１】
地磁気検出手段（３１１）は、本体フレーム（３２１）によって分割される一方の領域に配置され、前記本体フレーム（３２１）によって分割されるもう一方の領域には、交換レンズ（３１６）が着脱可能なマウント（１３）が配置され、
前記地磁気検出手段（３１１）は、撮像光軸（３１８）によって分割される一方の領域に配置され、前記撮像光軸（３１８）によって分割されるもう一方の領域には、外付けアクセサリ（３２３）を交換可能に取り付けられるアクセサリ取付部（１８）が配置され、
前記地磁気検出手段（３１１）は、前記撮像光軸（３１８）によって分割される領域の、電源（３０９）、外部メモリスロット（３１４）が配置される側の領域に、配置され、
前記地磁気検出手段（３１１）は、外部メモリスロットの実装された基板（３１０）によって前記電源（３０９）から隔てられることを特徴とする撮像装置（１）。
【請求項２】
地磁気検出手段（３１１）は、本体フレーム（３２１）によって分割される一方の領域に配置され、前記本体フレーム（３２１）によって分割されるもう一方の領域には、ミラー駆動手段（３０５）が配置されることを特徴とする請求項１に記載の撮像装置（１）。
【請求項３】
地磁気検出手段（３１１）は、本体フレーム（３２１）によって分割される一方の領域に配置され、前記本体フレーム（３２１）によって分割されるもう一方の領域には、シャッタ駆動手段（３０６）が配置されることを特徴とする請求項１に記載の撮像装置（１）。
【請求項４】
地磁気検出手段（３１１）は、撮像光軸（３１８）によって分割される一方の領域に配置され、前記撮像光軸（３１８）によって分割されるもう一方の領域には、閃光発光用コンデンサ（３１３）が配置されることを特徴とする請求項１に記載の撮像装置（１）。
【請求項５】
地磁気検出手段（３１１）は、交換レンズ（３１６）を着脱可能なマウント（１３）の投影面の外側に配置されることを特徴とする請求項１に記載の撮像装置（１）。
【発明の詳細な説明】
【技術分野】
【０００１】
本発明は、撮像装置に関し、特に地磁気センサにより、地磁気を検知し、方位検知が可能な撮像装置に関するものである。
【背景技術】
【０００２】
従来、撮像装置で生成された画像に地磁気センサにより地球上の地磁気の向きを検出し、カメラの撮像時の向きを示す方位情報を、撮像した画像に撮像方向として対応させ記録する技術が知られている。
【０００３】
一方、地球上の地磁気は非常に微弱であるのに対して、地磁気センサは、撮像装置内部に搭載される磁界を発生する部品等の影響を大きく受ける。そこで、地磁気センサはこれらの部品等から遠ざけて配置したいが、撮像装置の大きさは抑制したいという課題がある。
【０００４】
例えば、特許文献１ではユーザから操作され、撮像装置の本体から突出して配された操作部材に地磁気センサを配置し、撮像装置の外観に影響を与えずに、かつ撮像装置内部の磁界を発生する部品の影響を回避する技術が開示されている。
【先行技術文献】
【特許文献】
【０００５】
【特許文献１】特開２０１４−２１４５７号公報
【発明の概要】
【発明が解決しようとする課題】
【０００６】
上述の特許文献に開示された従来技術では、撮像装置内部の磁界を発生する部品の影響を回避することは可能である。しかし、交換レンズや外部ストロボなどの、撮像装置に交換可能に取り付けられる部材が、駆動時に発生する磁界の影響までは考慮されていない。また、交換レンズや外部ストロボなどの交換可能な部材は、焦点距離、Ｆ値、ガイドナンバーが異なる物が多様に存在するため、撮像装置内部の部品とは異なり、これらの部材から発生する磁界の強度も多様である。そのため、撮像装置に交換可能に取り付けられる部材が発生する磁界の影響までも考慮しなければ、撮像中の外乱磁場を回避して正確に方位することは難しい。
【０００７】
そこで、本発明の目的は、撮像装置に内蔵される部品だけでなく、撮像装置に交換可能に取り付けられる、交換レンズやアクセサリが発生する外乱磁場の影響を回避して、撮像中の正確な方位を可能にした、撮像装置を提供することである。
【課題を解決するための手段】
【０００８】
上記目的を達成するために、本発明に係る撮像装置１の構成は、地磁気検出手段３１１が、本体フレーム３２１によって分割される一方の領域に配置され、もう一方の領域には、交換レンズ３１６が着脱可能なマウント１３が配置される。また、前記地磁気検出手段３１１は、撮像光軸３１８によって分割される一方の領域に配置され、もう一方の領域には、外付けアクセサリ３２３を交換可能に取り付けられるアクセサリ取付部１８が配置される。さらに、前記地磁気検出手段３１１は、前記撮像光軸３１８によって分割される領域の、電源３０９、外部メモリスロット３１４が配置される側の領域に配置される。前記地磁気検出手段３１１は、外部メモリスロットの実装された基板３１０によって、前記電源３０９から隔てられることを特徴とする。
【発明の効果】
【０００９】
本発明によれば、撮像装置に内蔵される部品だけでなく、撮像装置に交換可能に取り付けられる、交換レンズやアクセサリが発生する外乱磁場の影響を回避して、撮像中の正確な方位を可能にした、撮像装置を提供することができる。
【図面の簡単な説明】
【００１０】
【図１】本発明の実施形態の撮像装置の前面斜視図である。
【図２】本発明の実施形態の撮像装置の背面斜視図である。
【図３】本発明の実施形態の撮像装置の構成を示すブロック図である。
【図４】本発明の実施形態の撮像装置の方位動作の一例を示す図である。
【図５】本発明の実施形態の撮像装置の撮像動作の一例を示すフローチャートである。
【図６】本発明の第一の実施形態である撮像装置内部の図である。
【図７】本発明の第二の実施形態である撮像装置内部の上面図である。
【発明を実施するための形態】
【００１１】
以下に、本発明の好ましい実施の形態を、添付の図面に基づいて詳細に説明する。図１は、本発明の実施形態に係る撮像装置１を前面側より見た外観を示す斜視図である。具体的には、図１は、交換レンズユニット３１６（後述の図３参照）を外した状態を示している。
【００１２】
図１において、撮像装置１には、撮像時に撮像者が撮像装置１を安定して握り易いように前方に突出したグリップ部１１が設けられている。グリップ部１１の上部には、撮像開始のスイッチとしてレリーズスイッチ１２が配置されている。
【００１３】
マウント部１３は、着脱可能な交換レンズユニット３１６を撮像装置１に固定させる。ミラーボックス１４は、撮像装置１の筐体内に配置され、交換レンズユニット３１６を通過した撮像光束はここへ導かれる。ミラーボックス１４の内部には、クイックリターンミラー１５が配設されている。
【００１４】
クイックリターンミラー１５は、メインミラー１５ａとサブミラー１５ｂによって構成されている。メインミラー１５ａはその一部がハーフミラーとなっており、光の一部を透過させ、その透過光は、サブミラー１５ｂで反射され、測距部３０７（後述の図３参照）に入射する。
【００１５】
また、クイックリターンミラー１５は、撮像時にレリーズスイッチ１２が押下されると、その端部に設けられた不図示の軸を中心として回動し、反射面が光軸３１８（後述の図３参照）に対して略平行となる位置に退避し、撮像光束を撮像素子３０４（後述の図３参照）に導く。
【００１６】
内蔵ストロボ１６は、撮像装置１の上方にあり、操作ボタン２４（後述の図２参照）がユーザにより操作されると、図１の破線で示した状態のように、所定の位置まで持ち上がり、内蔵ストロボ発光部１７が被写体を向き、発光準備状態となる。内蔵ストロボ発光部１７は、公知のエレクトロニックフラッシュであり、図１のように、持ち上がった状態で、ユーザによって撮像指示が出されると、内蔵ストロボコンデンサ３１３（後述の図３参照）からの給電により撮像時の補助光を発光する。
【００１７】
アクセサリシュー１８は、撮像装置１の上方に設けられ、外部ストロボ３２３（後述の図３参照）などの撮像用のアクセサリを取り付けることができ、ＣＰＵ３０２（後述の図３参照）から指示をアクセサリへ伝達するための電気的接点を有している。
【００１８】
図２は、本発明の実施形態に係る撮像装置１を背面側より見た外観を示す斜視図である。図２において、撮像装置１の背面の上方には、ファインダ接眼窓２１が設けられ、更に背面中央付近には画像表示部２２が設けられている。画像表示部２２の横にはメインスイッチ２３が設けられており、ユーザが操作することにより、電源３０９（後述の図３参照）からカメラ各部への電力供給の開始および終了を指示することができる。また、画像表示部２２の横には操作ボタン２４が配置されており、ユーザが操作ボタン２４を操作することにより、撮像装置１の各種設定の変更を行うことができ、画像表示部２２にはその設定状況が表示される。
【００１９】
図３は、本発明の実施形態に係る撮像装置１の主要な構成を示すブロック図である。なお、前述の図面と共通する部分は同じ記号で示している。システム制御基板３０１には、ＣＰＵ（中央演算処理装置）３０２が装着されている。ＣＰＵ３０２は、撮像装置１全体の動作制御を行うものであり、各要素に対して様々な処理や指示を実行する。
【００２０】
システム制御基板３０１には、レリーズスイッチ１２、内蔵ストロボ１６、アクセサリシュー１８、画像表示部２２、メインスイッチ２３、操作ボタン２４が接続されている。また、メモリ３０３、撮像素子３０４、ミラー駆動部３０５、シャッタ駆動部３０６、測距部３０７、測光部３０８も接続されている。さらに、電源３０９、外部メモリスロット基板３１０、地磁気センサ３１１、ＧＰＳアンテナ３１２、内蔵ストロボコンデンサ３１３が接続されている。
【００２１】
メモリ３０３は、撮像装置１の撮像動作に関する情報が記録されている。電源３０９は、ＣＰＵ３０２やカメラ内の回路各部に電力の供給を行い、ユーザがメインスイッチ２３を操作することによって、各部への電力供給の開始・終了される。電源３０９は、リチウムイオン充電池、乾電池、ＡＣアダプタなど、撮像装置１に電力を供給可能であれば、いずれの形態の物が適用されても良い。
【００２２】
外部メモリスロット基板３１０には、外部メモリスロット３１４が実装されている。外部メモリスロット３１４には、外部メモリ３１５が着脱可能であり、外部メモリ３１５へ撮像画像の書き出しおよび、画像の読み出しを可能としている。
【００２３】
地磁気センサ３１１は、地磁気の検出結果を出力し、その出力結果に基づいてＣＰＵ３０２にて撮像装置１の光軸方位を算出することで、撮像時の撮像装置１の撮像方向の方位を検出可能とする。本実形態では３軸の地磁気センサを用いている。地磁気センサ３１１に使用される磁気センサ素子としては、ＭＲ（ｍａｇｎｅｔｏ−ｒｅｓｉｓｔｉｖｅ）素子、ＭＩ（ｍａｇｎｅｔｏ−ｉｍｐｅｄａｎｃｅ）素子、またはホール素子のいずれの方式の地磁気センサが適用されても良い。また、取得した方位情報は撮像した画像データに付与できる。
【００２４】
ＧＰＳアンテナ３１２は、ＧＰＳ（Ｇｌｏｂａｌ  Ｐｏｓｉｔｉｏｎｉｎｇ  Ｓｙｓｔｅｍ）を利用して、地球の周りを回る複数のＧＰＳ衛星からの電波を受信して撮像装置１が存在する場所の緯度、経度、高度などの測位情報を取得する。また、取得した測位情報は、撮像した画像データに付与できる。
【００２５】
内蔵ストロボコンデンサ３１３は、撮像装置１が電源ＯＮ状態となり、内蔵ストロボ１６が発光準備状態となっていると、電源３０９からの給電により電荷を蓄積（チャージ）し、撮像時に内蔵ストロボ発光部１７が発光するための準備を行う。ユーザにより、撮像指示が出されると電荷を放出し、内蔵ストロボ発光部１７を発光させる。
【００２６】
交換レンズユニット３１６は、被写体像光を撮像素子３０４の撮像面に結像させる光学系である。この光学系の焦点位置を調節するための不図示の焦点レンズを含む複数のレンズ群と可動絞りを備えている。交換レンズユニット３１６内のレンズ駆動部３１７により、焦点レンズと可動絞りの駆動がなされる。レンズ駆動部３１７は、ＤＣモーター、ステッピングモータ、超音波モーター等を動力源とした駆動系により構成されている。ここで光軸３１８は、光学系の中心を示す。
【００２７】
測距部３０７は、サブミラー１５ｂによって屈曲された光を２つに分けて視差のある２つの像を生成し、公知の位相差測距を行い、測距情報をＣＰＵ３０２に出力する。
【００２８】
ペンタプリズム３１９は、メインミラー１５ａによって反射された撮像光束を正立正像に変換反射する光学部材である。使用者は、ファインダ接眼窓２１から被写体像を観察することができる。またペンタプリズム３１９は、撮像光束の一部を測光部３０８にも導く。
【００２９】
測光部３０８は、得られた撮像光束の一部を、観察面上の各エリアの輝度信号に変換し、ＣＰＵ３０２に出力する。ＣＰＵ３０２は、得られた輝度信号から露出値を算出する。
【００３０】
撮像素子３０４は、メインミラー１５ａが退避したときに、光軸３１８に沿った光が届く位置に設けられ、交換レンズユニット３１６が結像した像を電気信号に変換する撮像デバイスであるＣＭＯＳが用いられる。この撮像デバイスには、ＣＣＤ型、ＣＭＯＳ型およびＣＩＤ（電荷注入素子）型など様々な形態があり、何れの形態の撮像デバイスを採用してもよい。
【００３１】
クイックリターンミラー１５と撮像素子３０４との間には、露光時間を制御するシャッタ３２０が設けられている。シャッタ３２０は、公知のフォーカルプレーンシャッターである。
【００３２】
レリーズスイッチ１２は二段階押しが可能なスイッチとなっており、第１ストローク（半押し）でスイッチＳ１がオンし、第２ストローク（全押し）にてスイッチＳ２がオンする。
【００３３】
レリーズスイッチ１２が半押しされてＳ１がオンになると、ＣＰＵ３０２は測距部３０７および測光部３０８を駆動して、測距および測光動作を行い、得られた測距情報と測光情報はＣＰＵ３０２に出力される。ＣＰＵ３０２は得られた測距情報と測光情報を、撮像レンズ駆動部３１７に送り、レンズ駆動部３１７は得られた測距情報と測光情報に基づいて、交換レンズユニット３１６内の不図示の焦点レンズと可動絞りの駆動を行う。
【００３４】
また、レリーズスイッチ１２が全押しされてＳ２がオンになると、ミラー駆動部３０５はクイックリターンミラー１５を退避位置まで移動させ、シャッタ駆動部３０６によりシャッタ３２０の開閉動作を開始し、撮像素子３０４を駆動して撮像動作を行う。
【００３５】
ミラー駆動部３０５およびシャッタ駆動部３０６は、ＤＣモーター、ステッピングモータ、超音波モーター等を動力源とした駆動系により構成されている。
【００３６】
撮像動作が開始されると撮像素子３０４は入射された光を光電子変換により、電気信号に変換した後、ＣＰＵ３０２に出力する。ＣＰＵ３０２に出力された電気信号はＪＰＥＧなどの画像変換処理を経て、外部メモリスロット３１４に挿入された外部メモリ３１５に画像データとして記録される。なお、本実施例内での画像データは、公知のＥｘｉｆ（Exchangeable Image File Format）のファイルフォーマットに準拠している。また、本実施例内の画像データには、画像情報に、露出時間や絞り値などの撮像情報や後述の、方位、測位情報などが結合されたデータである。
【００３７】
本体フレーム３２１は、撮像装置１を内部から補強するとともに、撮像装置１を構成する各部品の保持をする。
【００３８】
外装３２２は、撮像装置１の外観を構成するとともに、撮像装置１を構成する各部品の保護をする。
【００３９】
外部ストロボ３２３は、本実施例内にて、アクセサリシュー１８に取り付けられるアクセサリの一例である。外部ストロボ３２３も内蔵ストロボ１６同様、公知のエレクトロニックフラッシュである。
外部ストロボ３２３は、発光のための給電手段として、外部ストロボコンデンサ３２４と外部ストロボ電源３２５を内蔵している。
【００４０】
外部ストロボ３２３がアクセサリシュー１８に接続されると、アクセサリ検知スイッチ３２６がＯＮ状態となる。アクセサリ検知スイッチ３２６がＯＮ状態においては、撮像時の発光手段としては、外部ストロボ３２３を優先的に使用するように設定されている。
【００４１】
撮像装置１に外付けストロボ３２３が取り付けられている場合は、アクセサリシュー１８を介してＣＰＵ３０２からの指示に基づいて、外部ストロボコンデンサ３２４は、外部ストロボ電源３２５から給電し、電荷の蓄積（チャージ）を行う。
【００４２】
ユーザから撮像指示が出されると、外部ストロボコンデンサ３２４は放電を行い、外部ストロボ発光部３２７を発光させる。
【００４３】
図４は、本発明の実施例による撮像装置１の方位動作の一例を示す図である。図４Ａは、撮像装置１の上面図、図４Ｂは撮像装置１の背面図である。撮像装置１は、地磁気センサ３１１により地磁気を検出し、撮像装置１の撮像方向がどちらの方位を向いているかを検出し、リアルタイムに画像表示部２２に方位を表示することが可能である。
【実施例１】
【００４４】
図５を用いて、本発明の撮像装置１の撮像動作フローについて説明する。なお、本実施例においては、撮像時に外部ストロボ３２３が発光することを前提とする。
【００４５】
ユーザによって、メインスイッチ２３が操作され、撮像装置１が電源ＯＮ状態となると（ステップＳ５０１）、地磁気センサ３１１により、撮像装置１の撮像方向の方位を検出し（ステップＳ５０２）、画像表示部２２に、方位検知結果の表示を行う（ステップＳ５０３）。続いて外部ストロボコンデンサ３２４はチャージを行う（ステップＳ５０４）。
【００４６】
続いて、ユーザにより、レリーズスイッチ１２が半押しされると（ステップＳ５０５）、測距部３０７および測光部３０８を駆動し、測距、測光を開始する（ステップＳ５０６）。ステップＳ５０６での測距、測光情報を基づき、ＣＰＵ３０２にて、焦点レンズ位置、絞り値、露光時間、ストロボ発光量などの撮像条件を算出する（ステップＳ５０７）。続いて、ステップＳ５０６での測距情報に基づいて、レンズ駆動部３１７は焦点レンズの駆動を行う（ステップＳ５０８）。
【００４７】
ユーザによってレリーズスイッチが全押しされ、撮像開始の指示が出されると（ステップＳ５０９）ミラー駆動部３０５により、クイックリターンミラー１５のアップ動作を行う（ステップＳ５１０）。続いて、撮像画像への付与情報を作成するために、地磁気センサ３１１にて方位検出（ステップＳ５１１）およびＧＰＳアンテナ３１２にて測位を開始する（ステップＳ５１２）。
【００４８】
続いてステップＳ５０７にて算出した撮像条件に基づいて、交換レンズユニット３１６の絞りを駆動し（ステップＳ５１３）、シャッタ３２０の走行を開始する（ステップＳ５１４）。
【００４９】
続いて外部ストロボコンデンサ３２４から放電を行い（ステップＳ５１５）、外部ストロボ発光部３２７を発光させる（ステップＳ５１６）。
【００５０】
続いて撮像素子３０４にて蓄光を開始し（ステップＳ５１７）、シャッタ３２０の走行完了まで蓄光を行う（ステップＳ５１８）。
【００５１】
続いて、ミラー駆動部３０５により、クイックリターンミラー１５のダウン動作を行う（ステップＳ５１９）。
【００５２】
続いて、ＣＰＵ３０２にて画像処理（ステップＳ５２０）を行い、続いて、地磁気センサ３１１にて得られた方位情報から撮像時の方位の算出（ステップＳ５２１）と、ＧＰＳアンテナ３１２から得られた測位情報から緯度・経度の算出（ステップＳ５２２）を行う。
【００５３】
続いて、画像に付与するための撮像情報を作成し（ステップＳ５２３）、この撮像情報には、ステップＳ５２１にて算出した撮像装置１の撮像時の撮像方位と、ステップＳ５２２にて算出した緯度・経度情報が付与される。
【００５４】
撮像画像とステップＳ５２３にて作成した撮像情報を結合し（ステップＳ５２４）、外部メモリ３１５へ画像データを転送、保存する（ステップＳ５２５）。ユーザによってメインスイッチ２３のＯＦＦ動作がされれば、撮像終了し、撮像継続をする場合は、再度ステップＳ５０２に戻り再度、撮像動作を行う。
【００５５】
ステップＳ５０３にて、撮像方位を検出し、ステップＳ５０４にて撮像方位をリアルタイムに表示している間に、ステップＳ５０８にて、焦点レンズ駆動のためレンズ駆動部３１７が動作する。レンズ駆動部３１７は、前述のように、ＤＣモーター、ステッピングモータ、超音波モーター等を動力源とした駆動系により構成されており、駆動により磁界を発生する。この磁界の発生は、ステップＳ５０３での撮像方位検知に影響をおよぼす。このため、ステップＳ５０３で正確に撮像方位検知を行うためには、レンズ駆動部３１７の駆動により発生する磁界の影響を回避する必要がある。
【００５６】
同様に、ステップＳ５１１にて撮像時の撮像方位の検出においては、ストロボ発光のために、外部ストロボコンデンサ３２４から放電される。また、瞬時に多量の電荷が放電されるため、外部ストロボコンデンサ３２４の周囲に強い磁界が発生し、地磁気センサ３１１の方位検出の妨げになる。このため、ステップＳ５１１で正確に撮像方位検知を行うためには、外部ストロボコンデンサ３２４により発生する磁界の影響も回避する必要がある。
【００５７】
交換レンズユニット３１６は焦点距離やＦ値に様々な仕様があり、それにともなって、レンズ駆動部３１７が発生する磁界の強度も様々である。また、外部ストロボ３２３はガイドナンバーの違いにより、外部ストロボコンデンサ３２４からの放電により発生する磁界の強度が異なる。そのため、交換レンズユニット３１６や外部ストロボ３２３が発生する磁界強度の程度は、撮像装置１に内蔵される部品とは異なり、把握が難しい。そのため、交換レンズユニット３１６および外部ストロボ３２３の発生する磁界の影響を回避するためには、地磁気センサ３１１は、交換レンズユニット３１６および外部ストロボ３２３から出来る限り離れた位置に配置する必要がある。
【００５８】
図６は、本発明の実施形態である撮像装置１の内部を示す図である。図６Ａは、撮像装置１の上面図、図６Ｂは撮像装置１の側面図である。なお、前述の図面と共通する部分は同じ記号で示している。
【００５９】
レンズ駆動部３１７の駆動による磁界の発生を回避し、図５のステップＳ５０３での撮像方位検出が妨げられないようにするために、地磁気センサ３１１は、レンズ駆動部３１７から可能な限り離して配置する。
【００６０】
撮像装置１は、光軸３１８で分割される一方の側にグリップ部１１を設けるために、グリップ部１１のある側の体積がより大きくなっている。そのため、図６Ａのように、撮像装置１を光軸３１８で分割した領域の内、グリップ部１１がある側に地磁気センサ３１１配置することで、交換レンズユニット３１６と地磁気センサ３１１を離して配置することが可能となる。
【００６１】
また、撮像装置１の本体フレーム３２１に分割される領域の一方に地磁気センサ３１１を、もう一方の領域にマウント１３を配置することで、さらに、交換レンズユニット３１６と地磁気センサ３１１を離して配置することが可能となる。
【００６２】
ストロボコンデンサの瞬時の放電による磁界の発生を回避し、図５のステップＳ５１１での撮像方位検出するために、地磁気センサ３１１は、外部ストロボコンデンサ３２４から最も遠い位置に配置する必要がある。
【００６３】
外部ストロボ３２３は、ストロボの発光が交換レンズユニット３１６に遮光されないようにするため、撮像装置１の最も高い位置である、アクセサリシュー１８の上に取り付けられる。
【００６４】
そのため、図６Ｂのように、撮像装置１の光軸３１８によって分割される下側の領域に、地磁気センサ３１１を配置することで、地磁気センサ３１１と外部ストロボコンデンサ３２４を離して配置することが可能となる。
【００６５】
撮影可能枚数や連続駆動時間向上のため、電源３０９は出来る限り体積を大きくする必要がある。そのため、電源３０９は、撮像装置１の中で大きな体積を有するグリップ１１部内に配置されている。一方、電源３０９も定期的に電流を流すため、一定の強度で磁界が発生している。
【００６６】
交換レンズユニット３１６の焦点レンズ駆動や外部ストロボ３２３発光時の外部ストロボコンデンサ３２４の瞬時の放電などの急激な磁界の変化に比べれば、その影響は小さいが、地磁気センサ３１１の方位検出への影響はある。
【００６７】
また、図６のように、撮像装置１のグリップ部１１に電源３０９を配置すると、地磁気センサ３１１との距離が近くなってしまうため、電源３０９による地磁気センサ３１１への影響を回避する必要がある。
【００６８】
そのため、電源３０９と地磁気センサ３１１の間に外部メモリスロット基板３１０を配置し、電源３０９と地磁気センサ３１１を隔離することで、電源３０９の発生する磁界の影響を回避できる。
【００６９】
上記のように、地磁気センサ３１１を配置することで、撮像装置を大きくすることなく、撮像動作中に外乱磁場を発生する交換レンズ、外付けストロボ、電源からの影響を回避することができ、正確な方位検知が可能となる。
【実施例２】
【００７０】
実施例１では、撮像装置１に交換可能に取り付けられる、交換レンズユニット３１６および外部ストロボ３２３の発生する磁界の影響を回避するための地磁気センサ３１１の配置について述べた。実施例２においては、撮像装置１に内蔵される部品の発生する磁界の影響を考慮した、地磁気センサ３１１の配置について説明する。
【００７１】
本実施例では、図５の撮像動作フローにおいて、内蔵ストロボ１６が発光する場合について説明する。ステップＳ５０２では、内蔵ストロボコンデンサ３１３がチャージを行い、ステップＳ５１５においては、内蔵ストロボコンデンサ３１３から放電され、ステップＳ５１６では内蔵ストロボ１６が発光する。
【００７２】
実施例２における撮像動作フローの場合、地磁気センサ３１１の方位検知に影響をおよぼす要素として、ステップＳ５０８のレンズ駆動部３１７の動作による磁界の発生がある。そのほかに、ステップＳ５１０およびステップＳ５１９のミラー駆動部３０５の動作、ステップＳ５１４およびステップＳ５１８のシャッタ駆動部の動作、ステップＳ５１５の内蔵ストロボコンデンサ３２３の放電による磁界の発生がある。
【００７３】
これらの撮像動作中に発生する磁界の影響を回避するための地磁気センサ３１１の配置について図７を用いて説明する。図７は、実施例２における、撮像装置１の内部を示した図である。なお、前述の図面と共通する部分は同じ記号で示している。
【００７４】
実施例１同様、ステップＳ５０８のレンズ駆動部３１７の磁界影響を回避するために、撮像装置１を光軸３１８で分割した場合にグリップ部１１がある側に地磁気センサ３１１配置することで、交換レンズユニット３１６から可能な限り離す。マウント１３の投影面の外側に地磁気センサ３１１を配置することで、交換レンズユニット３１６からさらに離れた位置に配置することが可能となる。
【００７５】
また、撮像装置１の本体フレーム３２１に分割される領域の一方に地磁気センサ３１１を、もう一方の領域にマウント１３を配置することで、さらに、交換レンズユニット３１６と地磁気センサ３１１を離して配置することが可能となる。
【００７６】
ステップＳ５１０およびステップＳ５１９でミラー駆動部３０５から発生する磁界の影響を回避するため、撮像装置１の本体フレーム３２１によって区切られる領域の一方に、地磁気センサ３１１を配置し、もう一方の領域にミラー駆動部３０５を配置する。
【００７７】
このように、本体フレーム３２１によって地磁気センサ３１１をミラー駆動部３０５から隔離することで、ミラー駆動部３０５から発生する磁界の影響を地磁気センサ３１１が受けることを回避できる。
【００７８】
ステップＳ５１４およびステップＳ５１８でシャッタ駆動部３０６から発生する磁界の影響を回避するため、撮像装置１の本体フレーム３２１によって区切られる領域の一方に、地磁気センサ３１１を配置し、もう一方の領域にシャッタ駆動部３０６を配置する。
【００７９】
このように、本体フレーム３２１によって地磁気センサ３１１をシャッタ駆動部３０６から隔離することで、シャッタ駆動部３０６から発生する磁界の影響を地磁気センサ３１１が受けることを回避できる。
【００８０】
ステップＳ５１５で内蔵ストロボコンデンサ３１３から発生する磁界の影響を回避するために、地磁気センサ３１１は撮像装置１の光軸３１８によって区切られる領域の一方に配置され、もう一方の領域に内蔵ストロボコンデンサ３１３を配置する。
【００８１】
このように、地磁気センサ３１１と内蔵ストロボコンデンサ３１３を光軸３１８によって分割される領域に振り分けることで、内蔵ストロボコンデンサ３１３の放電よって発生する磁界の影響を、地磁気センサ３１１が受けることを回避できる。
【００８２】
上記のように、地磁気センサ３１１を配置することで撮像装置を大きくすることなく、撮像動作中に外乱磁場を発生する撮像装置１の内蔵部品からの影響を回避することができ、正確な方位検知が可能となる。
【００８３】
以上、本発明の好ましい実施形態について説明したが、本発明はこれらの実施形態に限定されず、その要旨の範囲内で種々の変形及び変更が可能である。
【符号の説明】
【００８４】
１  撮像装置、１３  マウント、１７  アクセサリシュー、３０９  電源、
３１０  外部メモリスロット実装基板、３１１  地磁気センサ、
３１４  外部メモリスロット、３１６  交換レンズユニット、３１８  光軸、
３２１  本体フレーム、３２３  外部ストロボ
【図１】
2016017973.tif 000003
【図２】
2016017973.tif 000004
【図３】
2016017973.tif 000005
【図４】
2016017973.tif 000006
【図５】
2016017973.tif 000007
【図６】
2016017973.tif 000008
【図７】
2016017973.tif 000009